(57)【要約】【課題】建物において設備面での過剰負担を招くことなく、生物の生育環境を好適に整える。【解決手段】建物１０には複数の建物内空間が設けられている。建物内空間には屋内温度センサ５４など設けられており、屋内温度センサ５４などにより検出された温度、湿度、照度といった建物内空間の実環境の情報はコントローラ５１に対して出力され、記憶部５２に記憶される。コントローラ５１は、鉢センサ３４から観賞植物３１の植物周囲情報を取得するとともに、操作装置６１や通信装置６３から観賞植物３１の生育に適した生育環境を示す生育用情報を取得する。コントローラ５１は、植物周囲情報及び生育用情報に基づいて観賞植物の設置場所の適否を判定するとともに、適していない場合には複数の建物内空間のうち生育に適した建物内空間を観賞植物３１の設置場所の移動先に設定する。【選択図】図１
2011182764.tif 000002
【特許請求の範囲】
【請求項１】
環境の異なる複数の空間部を有する建物に適用され、植物又はペットを生育対象の生物とし該生物を前記複数の空間部のいずれかで生育させる建物の生物生育システムであって、
前記複数の空間部について各々の環境の情報を基準情報として記憶している記憶手段と、
前記生物の生育場所とされている前記空間部の実環境の情報を取得する第１取得手段と、
前記生物の生育に適した生育環境の情報を取得する第２取得手段と、
前記第１取得手段及び前記第２取得手段により取得された各情報に基づいて、前記生物にとっての現在の前記生育場所の適否を判定する適否判定手段と、
前記適否判定手段により前記生育場所が不適であると判定された場合に、前記記憶手段に記憶されている前記基準情報に基づいて前記生育場所の変更先を判定する変更先判定手段と、
前記変更先判定手段の判定結果を通知する通知手段と、
を備えていることを特徴とする建物の生物生育システム。
【請求項２】
前記複数の空間部のそれぞれに設けられ、各空間部における実環境に関する情報を個別に取得する手段と、
前記各空間部における実環境に関する情報に基づいて、前記記憶手段に記憶されている前記空間部ごとの前記基準情報をそれぞれ更新する手段と、
を備えていることを特徴とする請求項１に記載の建物の生物生育システム。
【請求項３】
前記複数の空間部のそれぞれについて今後の環境変化を推定する推定手段を備え、
前記変更先判定手段は、前記基準情報に加えて前記推定手段の推定結果に基づいて前記生育場所の変更先を判定することを特徴とする請求項１又は２に記載の建物の生物生育システム。
【請求項４】
前記記憶手段には、前記基準情報として、１日の環境変化が時系列データにて記憶されており、
前記推定手段は、前記時系列データに基づいて前記今後の環境変化を推定することを特徴とする請求項３に記載の建物の生物生育システム。
【請求項５】
前記複数の空間部のそれぞれにおける実環境に関する情報を蓄積する手段を備え、
前記推定手段は、前記蓄積された実環境の過去情報に基づいて前記今後の環境変化を推定することを特徴とする請求項３又は４に記載の建物の生物生育システム。
【請求項６】
前記建物におけるユーザの行動予定をスケジュール情報として取得する手段を備え、
前記推定手段は、前記スケジュール情報に基づいて前記今後の環境変化を推定することを特徴とする請求項３乃至５のいずれか１項に記載の建物の生物生育システム。
【発明の詳細な説明】
【技術分野】
【０００１】
本発明は、建物の生物生育システムに関するものである。
【背景技術】
【０００２】
建物において植物やペットなどの生物を好適に生育させるための技術が提案されている。例えば特許文献１には、建物内に植物の栽培室が設けられ、その栽培室と居室との間で換気が行われる構成が記載されている。この構成によれば、栽培室と居室との間で換気が行われることにより、栽培室において温度や二酸化炭素濃度といった環境が整えられ、植物が好適に生育できるようにすることができる。
【先行技術文献】
【特許文献】
【０００３】
【特許文献１】特開２００９−２４７２７４号公報
【発明の概要】
【発明が解決しようとする課題】
【０００４】
しかしながら、上記特許文献１に記載された構成では、生物の生育環境を整えるために植物栽培室と換気設備とが設けられているが、一般の住宅などの建物ではこれらの設備を新たに設ける必要があり、植物栽培室や換気設備を設置する上で設置スペースを確保しなくてはならないといった問題が生じる。
【０００５】
本発明は、建物において設備面での過剰負担を招くことなく、生物の生育環境を好適に整えることを主たる目的とする。
【課題を解決するための手段】
【０００６】
上記課題を解決するために、第１の発明の建物の生物生育システムは、環境の異なる複数の空間部を有する建物に適用され、植物又はペットを生育対象の生物とし該生物を前記複数の空間部のいずれかで生育させる建物の生物生育システムであって、前記複数の空間部について各々の環境の情報を基準情報として記憶している記憶手段と、前記生物の生育場所とされている前記空間部の実環境の情報を取得する第１取得手段と、前記生物の生育に適した生育環境の情報を取得する第２取得手段と、前記第１取得手段及び前記第２取得手段により取得された各情報に基づいて、前記生物にとっての現在の前記生育場所の適否を判定する適否判定手段と、前記適否判定手段により前記生育場所が不適であると判定された場合に、前記記憶手段に記憶されている前記基準情報に基づいて前記生育場所の変更先を判定する変更先判定手段と、前記変更先判定手段の判定結果を通知する通知手段とを備えていることを特徴とする。
【０００７】
第１の発明によれば、複数の空間部が植物やペットといった生物の生育場所とされる建物において、現在の生育場所が生物の生育に適していない場合、生物の生育場所の変更先が通知される。このため、現在の生育場所となっている空間部が人の都合に合わせた環境とされている場合に、人は生物を他の空間部に移動させることが可能となる。この場合、生育場所となっていた空間部の環境を人にとって快適な環境に保ちつつ、変更先の空間において生物を生育に適した環境に存在させることができる。したがって、例えば生物を生育させるための専用設備が建物内に設けられている構成とは異なり、建物において設備面での過剰負担を招くことなく、生物の生育環境を好適に整えることができる。
【０００８】
第２の発明では、前記複数の空間部のそれぞれに設けられ、各空間部における実環境に関する情報を個別に取得する手段と、前記各空間部における実環境に関する情報に基づいて、前記記憶手段に記憶されている前記空間部ごとの前記基準情報をそれぞれ更新する手段とを備えている。
【０００９】
第２の発明によれば、複数の空間部にて実環境に関する情報が取得されるとともに、その情報に基づいて空間部ごとの基準情報が更新されるため、各空間部の現在の環境状態を基準情報に含ませることが可能となる。したがって、生育場所の変更先を判定する場合に、複数の空間部のうち現在の環境状態が生物の生育に適した空間部を変更先とすることができる。
【００１０】
第３の発明では、前記複数の空間部のそれぞれについて今後の環境変化を推定する推定手段を備え、前記変更先判定手段は、前記基準情報に加えて前記推定手段の推定結果に基づいて前記生育場所の変更先を判定する。
【００１１】
第３の発明によれば、複数の空間部における今後の環境変化が推定され、基準情報に加えてその推定結果に基づいて生育場所の変更先が判定される。この場合、複数の空間部のうち今後の環境変化が生物の生育に適した空間部を変更先とすることができる。例えば、一時的な環境変化が発生したとしてもその変化発生ごとに生育場所を変更させるということを回避できる。つまり、同一の空間部を比較的長い期間にわたって生育場所とすることができる。
【００１２】
第４の発明では、前記記憶手段には、前記基準情報として、１日の環境変化が時系列データにて記憶されており、前記推定手段は、前記時系列データに基づいて前記今後の環境変化を推定する。
【００１３】
第４の発明によれば、１日の環境変化を示す時系列データに基づいて空間部の今後の環境変化が推定されるため、空間部における１日のうちの今後の環境変化を精度良く推定することができる。
【００１４】
第５の発明では、前記複数の空間部のそれぞれにおける実環境に関する情報を蓄積する手段を備え、前記推定手段は、前記蓄積された実環境の過去情報に基づいて前記今後の環境変化を推定する。
【００１５】
建物において複数の空間部の実環境はそれぞれ連続的に変化すると考えられる。したがって、第５の発明のように、空間部の実環境の過去情報に基づいて今後の環境変化を推定することにより、空間部における今後の環境変化を精度良く推定することができる。
【００１６】
第６の発明では、前記建物におけるユーザの行動予定をスケジュール情報として取得する手段を備え、前記推定手段は、前記スケジュール情報に基づいて前記今後の環境変化を推定する。
【００１７】
建物において複数の空間部の実環境は人の行動に合わせて変化することが多いと考えられる。例えば、空間部に人がいる期間中は空調装置等の運転により空間部の環境が一定に保たれると考えられ、空間部から人がいなくなると空調装置等の運転が停止されて空間部の環境が変化しやすいと考えられる。したがって、第６の発明のように、スケジュール情報に基づいて今後の環境変化を推定することにより、空間部における今後の環境変化を精度良く推定することができる。
【図面の簡単な説明】
【００１８】
【図１】本実施形態における建物の構成を示す概略断面図。
【図２】データベースについて説明するための図。
【図３】生育制御処理の処理手順を示すフローチャート。
【図４】居室環境改善処理の処理手順を示すフローチャート。
【発明を実施するための形態】
【００１９】
以下、本発明を具体化した一実施形態を図面に基づいて説明する。本実施形態では、本発明を建物において植物を生育させる生物生育システムとして具体化している。図１は建物１０の構成を示す概略断面図である。なお、図１は、生物生育システムに関する電気的な構成を示すブロック図を含んでいる。
【００２０】
図１に示すように、住宅等の建物１０には複数の建物空間として、居室１１、廊下１２、ガレージ１３、床下空間１４、屋根裏空間１５、軒下１６が設けられている。居室１１及び廊下１２は居住空間となっており、それら居室１１及び廊下１２は隣り合っている。ガレージ１３は、建物１０と一体的に形成されたインナガレージ（付属車庫）となっており、車両を駐車させる駐車スペースを有している。外壁１７のうちガレージ１３と屋外空間とを仕切る部分には開口部としての車両出入口１８が設けられている。床下空間１４は、居室１１や廊下１２といった居住空間の下方に形成されている。
【００２１】
建物１０には屋根２１が設けられており、屋根２１は切妻屋根となっている。屋根裏空間１５は、建物１０内において居室等の居住空間の上方であって屋根２１の下方に設けられている。つまり、居室１１等の居住空間と屋根２１との間に形成されている。建物１０において屋根２１の軒先２２が建物１０の側方に突出している。軒下１６は軒先２２の下方に設けられており、軒下１６は縁側などのデッキ２４を有する例えばテラスとなっている。
【００２２】
なお、居室１１、廊下１２、ガレージ１３、床下空間１４及び屋根裏空間１５は建物内空間となっており、軒下１６は建物１０周辺の屋外空間となっている。ここでは、これら建物内空間や屋外空間は環境の異なる複数の空間部に相当する。
【００２３】
居室１１には、照明器具２７とエアコン２８とが設けられている。照明器具２７はＬＥＤを含んで構成されており、点灯時において照度を調整する照度調整機能を有している。照明器具２７は例えば居室１１の天井面に取り付けられている。エアコン２８は、居室１１の温度及び湿度を調整する空調装置となっており、例えば居室１１の壁面に取り付けられている。また、居室１１には窓部が設けられており、窓部にはその窓部を開閉するサッシ戸と日差しを遮るカーテンとが設けられている。
【００２４】
本実施形態の建物１０では、生物としての観賞植物３１を生育させる生物生育システムが構築されており、生物生育システムにより観賞植物３１を生育に好適な場所にて栽培することができるようになっている。
【００２５】
観賞植物３１は人が容易に移動させることができる状態で栽培されている。具体的には、観賞植物３１は鉢植えとなっており、生育容器としての鉢３３に入れられた培養土等の培養材に植えられている。また、鉢３３には、観賞植物３１周囲において温度や湿度、明るさなど実環境を示す情報を植物周囲情報として検出する第１取得手段としての鉢センサ３４が取り付けられている。鉢センサ３４は無線通信を可能とする通信機能を有しており、検出信号を出力することが可能となっている。なお、鉢センサ３４は、培養材に挿されるなどして培養材に対して設けられていてもよく、観賞植物３１に直接取り付けられていてもよい。要は、鉢センサ３４は観賞植物３１に対して直接的又は間接的に取り付けられていればよい。
【００２６】
建物１０において、居室１１や廊下１２、ガレージ１３といった人が出入りする空間が観賞植物３１の設置場所となるのはもちろんのこと、床下空間１４や屋根裏空間１５など通常は人が出入りしない空間が観賞植物３１の設置場所となる構成となっている。
【００２７】
具体的には、床下空間１４について、居室１１の床部４１には床下空間１４に通じる床下開口部４２が設けられている。床下開口部４２は、観賞植物３１の出し入れが可能な大きさとなっており、人は床下開口部４２を通じて観賞植物３１を居室１１又は床下空間１４に移動させることができる。床下開口部４２には開閉可能な床下開閉体４３が設けられている。なお、床下開口部４２は、床下空間１４の周面のいずれかを開放していればよく、居室１１以外の建物内空間に通じていてもよく、屋外空間に通じていてもよい。
【００２８】
屋根裏空間１５について、居室１１の天井部４５には、屋根裏空間１５に通じる屋根裏開口部４６が設けられている。屋根裏開口部４６は、床下開口部４２と同様に観賞植物３１の出し入れが可能な大きさとなっており、人は屋根裏開口部４６を通じて観賞植物３１を居室１１又は屋根裏空間１５に移動させることができる。屋根裏開口部４６には開閉可能な屋根裏開閉体４７が設けられている。なお、屋根裏開口部４６は、屋根裏空間１５の周面のいずれかを開放していればよく、居室１１以外の建物内空間に通じていてもよく、屋外空間に通じていてもよい。
【００２９】
次に、生物生育システムに関する電気的な構成について説明する。
【００３０】
生物生育システムは制御手段としてのコントローラ５１を有している。コントローラ５１はＣＰＵや各種メモリ等からなるマイクロコンピュータを含んで構成されている。コントローラ５１は建物１０内に設けられており、例えば居室１１の壁面に取り付けられている。コントローラ５１は、生物生育システムに関する情報を記憶する記憶部５２を有している。生物生育システムに関する情報には、観賞植物３１の生育に適した温度や湿度、照度などの生育環境を示す生育用情報や、観賞植物３１の設置場所となり得る居室１１等の建物内空間について温度や湿度、照度などの環境を示す基準情報、建物１０における人の行動予定を示すスケジュール情報などが含まれている。特に、基準情報は、記憶部５２においてデータベースに格納されている。
【００３１】
なお、生育用情報には、観賞植物３１の生育に適した環境を示す情報の他に、観賞植物３１の種類や大きさなどを示す情報、観賞植物３１に水や肥料、生育用の薬品を与える方法を示す情報などが含まれている。
【００３２】
コントローラ５１には、居室１１、廊下１２、ガレージ１３、床下空間１４、屋根裏空間１５といった複数の建物内空間の温度を個別に検出する屋内温度センサ５４と、それら建物内空間の湿度を個別に検出する屋内湿度センサ５５と、それら建物内空間の照度を個別に検出する屋内照度センサ５６と、外気温度を検出する屋外温度センサ５７と、外気湿度を検出する屋外湿度センサ５８と、屋外の照度を検出する屋外照度センサ５９とが接続されており、これらセンサ５４〜５９は検出信号をコントローラ５１に対して出力する。
【００３３】
屋内温度センサ５４、屋内湿度センサ５５及び屋内照度センサ５６は各建物内空間のそれぞれに設けられており、温度、湿度及び照度といった環境を示す情報を建物内空間の実環境の情報として検出する。なお、これらセンサ５４〜５６は、建物内空間において観賞植物３１が置かれることの多い場所が検出範囲に含まれるように設置されている。例えば居室１１であれば、窓際のスペースやディスプレイ用の棚などがセンサ５４〜５６の検出範囲に含まれている。
【００３４】
屋外温度センサ５７、屋外湿度センサ５８及び屋外照度センサ５９は、屋外において例えば外壁１７に取り付けられている。なお、これらセンサ５７〜５９は、建物１０周辺において観賞植物３１が置かれることの多い軒下１６が検出範囲に含まれるように設置されている。
【００３５】
コントローラ５１には、人により入力操作が行われる操作装置６１が接続されている。操作装置６１は建物１０内に設けられており、例えば居室１１の壁面において人が操作可能な位置に取り付けられている。操作装置６１は、入力操作により入力された各種情報をコントローラ５１に対して出力し、コントローラ５１は操作装置６１から入力された各種情報を記憶部５２に記憶させる。操作装置６１から入力される情報には、人の行動予定を示すスケジュール情報や、観賞植物３１の生育用情報、天気情報などが含まれている。なお、スケジュール情報には、人の行動予定に加えて、照明器具２７の点灯予定や、エアコン２８の運転予定、窓部のサッシ戸の開放予定、窓部のカーテンの開閉予定などが含まれている。つまり、建物内空間において今後の照度や温度、湿度、風通し、日当たりなどを推定できる予定が含まれている。
【００３６】
コントローラ５１には、照明器具２７と、エアコン２８と、報知動作を行う報知装置６２と、有線又は無線通信が可能な通信装置６３とが制御対象として接続されており、コントローラ５１は指令信号を出力することにより制御対象の動作制御を行う。報知装置６２は、音声を出力するスピーカや報知画面を表示する表示モニタなどを含んで構成されており、建物１０内において例えば居室１１の壁面に取り付けられている。
【００３７】
通信装置６３は、鉢センサ３４との無線通信が可能となっているとともに、インターネット等への接続が可能となっている。鉢センサ３４から出力された検出信号は通信装置６３を通じてコントローラ５１に入力され、コントローラ５１は鉢センサ３４からの植物周囲情報を記憶部５２に時系列で記憶させる。コントローラ５１は通信装置６３を通じてインターネット等から観賞植物３１の生育用情報や天気情報などを取得する。なお、通信装置６３や操作装置６１が生育用情報（生育環境の情報）を取得する第２取得手段に相当する。
【００３８】
続いて、記憶部５２において基準情報を格納しているデータベースについて図２を参照しつつ説明する。図２は、データベースについて説明するための図である。
【００３９】
図２に示すように、データベースには、温度や湿度、照度など環境に関する情報が基準情報として居室１１や廊下１２など各建物内空間に関連付けて格納されている。基準情報は、データベースにおいて現在時刻が基準時刻として基準時刻より以前の情報及び以後の情報が時系列で並べられている。基準情報には、建物内空間の１日の環境変化が時系列となっている時系列データが含まれている。また、屋内温度センサ５４や屋内湿度センサ５５、屋内照度センサ５６などにより検出された検出値はその都度最新の情報としてデータベースに格納され、それにより基準情報が更新される。なお、基準情報には、建物内空間の環境が１日（２４時間）で変化する一般的な態様が含まれている。
【００４０】
また、記憶部５２には、建物内空間の今後の環境が推定された推定情報が時系列で記憶されている。コントローラ５１は、記憶部５２にて蓄積されている建物内空間の過去の実環境の情報や、データベースに格納されている基準情報、人のスケジュール情報、天気情報などに基づいて推定情報を算出する。
【００４１】
例えば、推定情報を人のスケジュール情報に基づいて算出する場合、人が今後も滞在する予定になっている建物内空間については、滞在予定期間の環境には大きな変化がないとして推定する。特に、夜間においては滞在予定期間のうち睡眠予定期間については照明器具２７が消灯された状態の環境を推定し、睡眠予定時間以外については照明器具２７が点灯された状態の環境を推定する。また、人が滞在しない予定になっている建物内空間については、現在の環境を基準として天気情報による温度、湿度、日当たりを考慮して今後の環境の変化態様を推定する。
【００４２】
生物生育システムにおいてコントローラ５１は、観賞植物３１の生育に適した位置にて観賞植物３１を生育させるための処理を生育制御処理として行う。ここでは、生育制御処理の処理手順について、図３、図４のフローチャートを参照しつつ説明する。なお、生育制御処理は所定周期で繰り返し実行される。
【００４３】
図３において、ステップＳ１０１では各種センサの検出信号を取得する。ステップＳ１０２では、屋内温度センサ５４、屋内湿度センサ５５及び屋内照度センサ５６の検出信号などに基づいてデータベースを更新する。ここでは、取得した検出信号に基づいて最新の実環境の情報を算出し、その実環境の情報を現在の情報としてデータベースに格納するとともに、過去の情報を現在時刻が基準となるように更新する。
【００４４】
ステップＳ１０３では、鉢センサ３４の検出信号に基づいて、観賞植物３１周囲の温度や湿度、照度といった植物周囲情報を取得する。ステップＳ１０４では、記憶部５２やインターネットなどから観賞植物３１の生育用情報を取得する。ステップＳ１０５では、記憶部５２のデータベースから基準情報を取得する。ステップＳ１０６では、記憶部５２から人のスケジュール情報を取得する。
【００４５】
ステップＳ１０７では、観賞植物３１の現在位置が観賞植物３１の生育にとって好適であるか否かを判定する。ここでは、植物周囲情報と生育用情報とを比較し、観賞植物３１周囲の現在の環境や今後の環境が生育用情報の示す環境に適合しているか否かを判定し、適合していれば観賞植物３１の現在位置が好適であるとする。この場合、現在の環境と今後の環境とのうち現在の環境を優先して観賞植物３１の現在位置の適否を判定する。なお、適否判定について、現在の環境と今後の環境とで今後の環境を優先してもよく、観賞植物３１の生育状況（大きさなど）に合わせていずれかの環境を優先してもよい。
【００４６】
ここで、観賞植物３１周囲の今後の環境については、記憶部５２に記憶されている過去の植物周囲情報や、データベースに格納されている基準情報、人のスケジュール情報などに基づいて推定する。
【００４７】
また、観賞植物３１周囲の今後の環境として例えば現在時刻から１日（２４時間）経過するまでの今後の環境変化を用いて適否判定を行っており、これにより都度の環境変化をきめ細かく把握することができる。したがって、設置場所にて環境変化が発生したとしてもその変化が１日の中で一時的なもの（例えば一時間）であれば、設置場所の環境が生育に不適ではないと判定することができる。また、今後の情報として例えば現在時刻から１週間や１ヶ月経過するまでの今後の環境変化を用いて適否判定を行った場合、環境変化を平均的に把握することができる。したがって、設置場所にて環境変化が発生したとしてもその変化が１週間や１ヶ月の中で一時的なもの（例えば１日）であれば、設置場所の環境が生育に不適ではないと判定することができる。
【００４８】
観賞植物３１の現在位置が好適である場合、ステップＳ１０８に進み、観賞植物３１の現在位置が好適である旨を報知する報知処理を行う。なお、観賞植物３１の現在位置が継続して好適である場合、報知を行わなくてもよい。
【００４９】
観賞植物３１の現在位置が好適でない場合、ステップＳ１０９に進み、現在位置の他に好適な場所があるか否かを判定する。ここでは、鉢センサ３４の検出信号や操作装置６１からの信号に基づいて観賞植物３１の現在位置が複数の建物内空間のうちいずれであるかを特定し、現在位置となっている建物内空間以外の建物内空間を対象として、対象空間ごとに現在の環境や今後の環境が生育用情報の示す環境に適合するか否かを判定し、適合する建物内空間がある場合に好適な場所があると判定する。この場合、現在の環境と今後の環境とのうち現在の環境を優先して建物内空間の適否を判定する。なお、適否判定について、現在の環境と今後の環境とで今後の環境を優先してもよく、観賞植物３１の生育状況（大きさなど）に合わせていずれかの環境を優先してもよい。
【００５０】
また、今後の情報として例えば現在時刻から１日（２４時間）経過するまでの今後の環境変化を用いて適否判定を行っており、これにより都度の環境変化をきめ細かく把握することができる。したがって、建物内空間にて環境変化が発生したとしてもその変化が１日の中で一時的なもの（例えば一時間）であれば、その変化を反映させずに適否判定を行うことができる。また、今後の情報として例えば現在時刻から１週間や１ヶ月経過するまでの今後の環境変化を用いて適否判定を行った場合、環境変化を平均的に把握することができる。したがって、建物内空間にて環境変化が発生したとしてもその変化が１週間や１ヶ月の中で一時的なもの（例えば１日）であれば、その変化を反映させずに適否判定を行うことができる。
【００５１】
なお、建物１０内において他に好適な場所がない場合、屋外温度センサ５７、屋外湿度センサ５８、屋外照度センサ５９の検出信号に基づいて屋外の温度や湿度、照度といった屋外環境を取得するとともに、その屋外環境と生育用情報とを比較し、生育用情報の示す環境に例えば軒下１６などの屋外空間が適合するか否かを判定してもよい。この場合、生育用情報の示す環境と軒下１６などの環境とが適合すれば、軒先２２などの屋外空間を観賞植物３１の設置場所の変更先にするとする。また、軒下１６などの屋外空間における生育の適否を判定し、屋外空間が成育に適さない場合に建物１０内における生育の適否を判定してもよい。つまり、屋外空間を建物内空間に比べて優先的に生育場所とする判定を行ってもよい。
【００５２】
ステップＳ１１０では、現在の環境や今後の環境が生育用情報の示す環境に適合した建物内空間を観賞植物３１に適した場所として特定する。ステップＳ１０８では、観賞植物３１の現在位置が生育にとって好適でない旨、及び生育にとって好適な場所のアドバイスなどを報知する報知処理を行う。
【００５３】
観賞植物３１にとって現在位置の他に好適な場所がない場合、ステップＳ１１１に進み、観賞植物３１の現在位置が居室１１であるか否かを判定する。つまり、温度や湿度、照度といった場所環境を積極的に変えることができる空間（照明器具２７やエアコン２８等が設けられている空間）であるか否かを判定する。ステップＳ１１２では、居室１１に人がいるか否かを判定する。ここでは、スケジュール情報に基づいて現在時刻が居室１１を使用する時間帯に該当するか否かを判定し、該当する場合に居室１１に人がいると判定する。なお、居室１１に人感センサが設けられていれば、人感センサの検出信号に基づいて人の有無を判定してもよい。観賞植物３１の現在位置が居室１１であり、且つ居室１１に人がいない場合、ステップＳ１１３に進み、居室環境改善処理を行う。
【００５４】
ステップＳ１１３の居室環境改善処理の処理手順について図４のフローチャートを参照しつつ説明する。
【００５５】
図４においてステップＳ２０１では、観賞植物３１にとって居室１１の温度が不適であるか否かを判定する。ここでは、記憶部５２のデータベースから居室１１の温度を取得するとともに、居室１１の温度と生育用情報の示す温度とを比較し、居室１１の温度が生育用情報の許容範囲外であれば居室１１の温度が不適であるとして、ステップＳ２０２に進む。ステップＳ２０２では、温度調整処理を行う。この処理では、居室１１の温度が許容範囲内となるようにエアコン２８に温度調整運転を行わせる処理や、窓部を開放させて居室１１の換気を行うように報知装置６２に報知させる処理を行う。
【００５６】
ステップＳ２０３では、観賞植物３１にとって居室１１の湿度が不適であるか否かを判定する。ここでは、居室１１の湿度と生育用情報の示す湿度とを比較し、居室１１の湿度が生育用情報の許容範囲外であれば居室１１の湿度が不適であるとして、ステップＳ２０４に進む。ステップＳ２０４では、湿度調整処理を行う。この処理では、居室１１の湿度が許容範囲内となるようにエアコン２８に湿度調整運転を行わせる処理や、窓部を開放させて居室１１の換気を行うように報知装置６２に報知させる処理を行う。
【００５７】
ステップＳ２０５では、観賞植物３１にとって居室１１の照度が不適であるか否かを判定する。ここでは、居室１１の照度と生育用情報の示す照度とを比較し、居室１１の照度が生育用情報の許容範囲外であれば居室１１の照度が不適であるとして、ステップＳ２０６に進む。ステップＳ２０６では、照度調整処理を行う。この処理では、居室１１の照度が許容範囲内となるように、照明器具２７を点灯又は消灯させる処理や、カーテンを開放又は閉鎖させて居室１１の日当たりを調整するように報知装置６２に報知させる処理を行う。
【００５８】
居室環境改善処理の終了後、ステップＳ１０８に進み、観賞植物３１が置かれている居室１１の環境が観賞植物３１にとって好適でない旨を報知する報知処理を行う。
【００５９】
また、観賞植物３１にとって好適な場所が建物１０内になく、観賞植物３１の現在位置が居室１１でなく、さらに居室１１に人がいる場合（ステップＳ１１１がＮＯ判定及びステップＳ１１２がＹＥＳ判定の場合）、ステップＳ１０８に進み、その旨を報知する報知処理を行う。
【００６０】
以上詳述した本実施形態によれば、以下の優れた効果が得られる。
【００６１】
建物１０において、観賞植物３１が設置されている場所が観賞植物３１の生育に適していない場合、その旨が報知装置６２により報知される。また、この場合、設置場所が存在する建物内空間とは別に生育に適した建物内空間があれば、その建物内空間が設置場所の変更先に適している旨が報知装置６２により報知される。このため、例えば観賞植物３１が居室１１に置かれており且つ居室１１に人がいる場合、人は観賞植物３１を生育に適した他の空間に移動させることができる。つまり、人のいる居室１１を人にとって快適な状態で保ちつつ、居室１１とは別の空間で観賞植物３１を好適に生育させることができる。したがって、例えば観賞植物３１を生育させるための専用設備が建物１０内に設けられている構成とは異なり、建物１０において設備面での過剰負担を招くことなく、観賞植物３１の生育環境を好適に整えることができる。
【００６２】
記憶部５２に記憶されているデータベースには、各建物内空間に関連付けて基準情報が格納されており、基準情報は建物内空間の１日の環境変化を示す時系列データであるため、建物内空間ごとに観賞植物３１の生育に適しているか否かを判定する構成として好適である。また、屋内温度センサ５４や屋内湿度センサ５５、屋内照度センサ５６などにより検出された都度の実環境の情報が格納されることでデータベースが更新される。したがって、建物内空間の都度の状態に合わせて観賞植物３１の設置場所を選択することができる。換言すれば、観賞植物３１の設置場所に関する通知内容と建物１０内の現状との間に差異が生じることを回避できる。
【００６３】
記憶部５２には、建物内空間における今後の環境の変化態様を示す推定情報が記憶されているため、今後の環境の変化態様に合わせて観賞植物３１の生育の適否を建物内空間ごとに判定することができる。この場合、生育の適否の判定要素に今後の環境の変化態様が含まれていない構成とは異なり、建物内空間にて環境変化が発生した場合にその環境変化が一時的なものであるか否かを把握することができる。したがって、観賞植物３１の移動先として比較的長い期間にわたって設置することができる空間を選択することができる。つまり、建物内空間の環境の変化に合わせて観賞植物３１をその都度移動させるという煩わしさを緩和することができる。
【００６４】
建物内空間について今後の環境の変化が過去の実環境に基づいて推定される。ここで、建物内空間の環境は、外気温度や天気、時間経過などに応じて連続的に変化すると考えられる。特に、人が不在である建物内空間の環境は、屋外の環境の変化に応じて緩やかに変化すると考えられる。したがって、建物内空間について今後の環境の変化を過去の実環境に基づいて推定することにより、今後の環境の変化を精度良く推定することができる。
【００６５】
建物内空間について今後の環境の変化が人のスケジュール情報に基づいて推定される。ここで、人がいる建物内空間については温度等の環境が人にとって快適な状態で保持されることなどにより、人がいない建物内空間に比べて環境の変化が少ないと考えられる。したがって、建物内空間について今後の環境の変化を人の有無等を含むスケジュール情報に基づいて推定することにより、今後の環境の変化を精度良く推定することができる。
【００６６】
観賞植物３１が植えられている鉢３３に対して鉢センサ３４が取り付けられているため、鉢センサ３４により観賞植物３１の周囲の環境に関する情報を精度良く取得することができる。この結果、観賞植物３１の設置場所が生育に適しているか否かの判定の精度が高められるため、建物１０内で観賞植物３１を好適に生育させることができる。
【００６７】
居室１１に人がいない場合に限って居室１１を対象とした環境改善処理が行われるため、居室１１において、照明器具２７やエアコン２８などにより環境を強制的に変えることで観賞植物３１の生育にとって好ましい環境を整えつつ、人に不快な思いをさせることを抑制できる。
【００６８】
建物１０においては、床下空間１４及び屋根裏空間１５を観賞植物３１の設置場所とすることが可能となっているため、太陽光や照明器具２７の明かりに当てたくない観賞植物３１を設置する際に好適である。また、居室１１などの居住空間とは異なり、床下空間１４や屋根裏空間１５の環境は照明器具２７やエアコン２８等による環境制御の対象となっていないため、床下空間１４や屋根裏空間１５に観賞植物３１を置くことにより、環境制御が観賞植物３１の生育の阻害要因となることを抑制できる。
【００６９】
（他の実施形態）
本発明は上記実施形態の記載内容に限定されず、例えば次のように実施してもよい。
【００７０】
（１）建物１０内で生育させる生物をペットとしてもよい。例えば、犬等のペットの周囲の環境を示すペット周囲情報を検出するセンサがペットの首輪や寝床に設けられている構成とする。寝床にセンサが設けられている場合、寝床がペットの睡眠にとって適していないことを通知できる。この場合、ペットに快適な睡眠環境を提供することになる。この結果、建物内空間の環境を人にとって快適な環境に保ちつつ、建物１０内でペットを好適に生育させることができる。
【００７１】
（２）屋内温度センサ５４や屋内湿度センサ５５、屋内照度センサ５６といった建物内空間の環境を検出するセンサが、第１取得手段として観賞植物３１の設置場所における実環境の情報を検出してもよい。
【００７２】
また、建物内空間の環境を検出するセンサは、１つの建物内空間に環境の異なる複数の空間部が存在するとして、それら空間部ごとに環境を検出するように１つの建物内空間に複数設けられていてもよい。この場合、建物内空間のうち例えば日当たりの良い場所と日当たりの良くない場所とをそれぞれ環境の異なる空間部とすることができ、観賞植物３１の生育環境を変える際に１つの建物内空間の中で観賞植物３１を移動させるだけで済ませることが可能となる。
【００７３】
（３）記憶部５２に記憶されているデータベースは、格納されている情報が更新されない方式のデータベースであってもよい。例えば、データベースが操作装置６１や通信装置６３から記憶部５２に記憶される構成とする。
【００７４】
（４）コントローラ５１は、観賞植物３１の現在位置が生育に適しているか否かに関係なく、現在位置とは別の建物内空間が観賞植物３１の生育に適しているか否かを判定してもよい。この場合、例えば住人等の都合で観賞植物３１を移動させる場合に、観賞植物３１の現在位置が生育に適していても生育に適した他の建物内空間を住人等に知らせることができる。
【００７５】
（５）生物生育システムが構築されている建物１０は複数階建てであってもよい。この場合、観賞植物３１の設置可能な空間には、上階部分と下階部分との間に形成された階間空間が含まれていてもよい。
【００７６】
（６）建物１０内で生育させる生物を観賞植物３１ではなく食用植物としてもよい。例えば鉢３３に食用植物としての野菜が植えられており、野菜が設置されている場所がその野菜の生育に適していない場合にその旨が報知装置６２により報知される構成とする。鉢３３に植えられる野菜としては、トマト、きゅうり、レタス、白菜、玉葱などが挙げられる。ここで、野菜の生育には昼夜温較差の存在が好ましいとされており、野菜の生育に関する生育用情報には、野菜の生育に適した昼間の温度や夜間の温度が野菜の種類ごとに含まれている。また、生育用情報には、野菜の花芽の分化や生育に適した温度などの環境情報が含まれている。したがって、現在の環境が野菜の生育に適しているか否かの判定が生育用情報に基づいて行われることにより、建物１０内において野菜を好適に生育させることが可能となる。
【００７７】
（７）生物生育システムにおいて、人のいる場所がその人に適しているか否かの判定が行われてもよい。例えば、通信装置６３が人の携帯する携帯機と無線通信可能であり、その携帯機が人の周囲の環境を示す人周囲情報を検出するセンサを有している構成とする。この構成では、人の嗜好や健康状態に関する人情報が記憶部５２に記憶されており、コントローラ５１は記憶部５２からの人情報と携帯機からの人周囲情報とを比較し、その比較結果に基づいて人の現在位置が人の嗜好や健康状態にとって適しているか否かを判定し、さらにその判定結果を通知する処理を行う。通知する処理には、報知装置６２の表示モニタに通知内容を表示する処理が含まれている。
【００７８】
また、人のスケジュール情報に基づいてアドバイス処理を行ってもよい。例えば、勉強部屋などで長時間勉強している人に対しては、アドバイス処理として時々陽の当たる場所（屋外空間など）に行くように提案する処理を行う。
【００７９】
（８）生物生育システムにおいて、食品の保管場所がその食品に適しているか否かの判定が行われてもよい。例えば、建物１０が食品を保管可能な保管空間を複数有する構成とする。この構成では、保管空間の温度や湿度等の情報を保管先情報として取得する手段としてセンサが設けられており、操作装置６１から入力された食品に関する食品情報が記憶部５２に記憶され、コントローラ５１が保管先情報と食品情報とを比較し、その比較結果に基づいて保管場所の適否を判定し、さらにその判定結果を通知する処理を行う。
【００８０】
なお、保管空間としては、冷蔵庫（温度調整可能な空間）や、食品収納庫（キッチンに備え付けられており内部の環境を大まかに制御可能な空間）、床下空間１４（冷暗所）、階間空間（居室１１とは異なる環境を有する空間）、屋根裏空間１５（居室１１より暑い空間）、廊下１２（冷暗所であって風が抜ける空間）、軒先２２（乾燥や陽干しに適した空間）、ガレージ１３（乾燥や陰干しに適した空間）、玄関土間（冷暗所）などが挙げられる。
【００８１】
また、保管場所の適否判定のパラメータには、住人等のユーザが望む保存方法が含まれていてもよい。ユーザが望む保存方法としては、なるべく長くおいしく食べられるようにしたいといった味及び期間を優先する方法や、とにかく長持ちさせたいといった期間を優先する方法、すぐ食べられるようにしておきたいといったつくり置き品を対象とした利便さを優先する方法、食べごろまでねかせておきたいといったタイミングを優先する方法などが挙げられる。
【００８２】
コントローラ５１は、保管場所に保管する食品に関して、居住者に合わせた賞味期限の提案を行う処理を行ってもよい。この提案内容としては、子供、老人、病人は賞味期限より早めに食することを推奨する内容や、大人、健常者は賞味期限を少し延ばしても旨を知らせる内容、お客様には食べごろのものを勧めることを推奨する内容などが挙げられる。
【００８３】
また、コントローラ５１は、食品に関して他のアドバイスを行う処理を行ってもよい。他のアドバイスを行う処理としては、賞味期限が迫っている食品について賞味期限までの日数を報知する処理や、賞味期限を過ぎた旨を報知する処理、賞味期限を過ぎた食品に関して問題なく食するための方法を報知する処理、食べごろまでの日数を報知する処理などが挙げられる。
【符号の説明】
【００８４】
１０…建物、１１…空間部としての居室、１２…空間部としての廊下、１３…空間部としてのガレージ、１４…空間部としての床下空間、１５…屋根裏空間、１６…空間部としての軒下、３４…第１取得手段としての鉢センサ、５１…適否判定手段、変更先判定手段及び推定手段としてのコントローラ、５２…記憶手段としての記憶部、６１…第２取得手段としての操作装置、６２…通知手段としての報知装置、６３…第２取得手段としての通信装置。
【図１】
2011182764.tif 000003
【図２】
2011182764.tif 000004
【図３】
2011182764.tif 000005
【図４】
2011182764.tif 000006